(57)【特許請求の範囲】
【請求項１】
最後部シートより前方に位置し、シートバック側面にアームレストが取り付け具によって取り外し可能に取り付けられたシートを有する車両において表示パネルの取り付けに用いられる表示パネル取り付けキットであって、
前記シートから取り外された前記アームレストを前記シートのシートバック側面に取り付ける前記取り付け具に係合して前記シートバック側面と前記アームレストとに挟まれた状態で固定されるブラケットと、
該ブラケットに固定具によって固定され、前記表示パネルが装着される表示パネル装着具とを有し、
前記表示パネル装着具は、前記ブラケットに一端部が前記固定具によって固定され、前記シートのシートバックに沿って延びる支持棒体と、
該支持棒体の他端部に設けられ、前記表示パネルを支持固定する表示パネル支持固定具とを有する表示パネル取り付けキット。
【請求項２】
前記ブラケットは、前記シートバック側面と前記アームレストとに挟まれた状態で前記アームレストの後端の輪郭に沿うように配置される複数の固定受け部を有し、
前記支持棒体の前記一端部は、前記ブラケットの前記複数の固定受け部の配列に沿う形状となって、前記ブラケットの前記複数の固定受け部に前記固定具により固定される部分を有する請求項１記載の表示パネル取り付けキット。
【請求項３】
前記支持棒体は、前記アームレストと前記シートバックとの間に形成された外方に向かって開放する隙間に嵌る楔形状の部分を有する請求項１または２記載の表示パネル取り付けキット。
【請求項４】
前記表示パネル支持固定具は、前記支持棒体を中心にして回動可能に当該支持棒体に一端部が支持されるアーム部材と、
該アーム部材の他端部に設けられ、前記表示ユニットを支持固定する支持固定部材とを有する請求項１乃至３のいずれかに記載の表示パネル取り付けキット。
【請求項５】
前記支持棒体を前記ブラケットに固定する固定部は、手作業によって固定可能なノブ付き固定具である請求項１乃至４のいずれかに記載の表示パネル取り付けキット。
【請求項６】
前記支持棒体には、前記表示パネルの配線を通す経路が形成されている請求項１乃至５のいずれかに記載の表示パネル取り付けキット。
【請求項７】
最後部シートより前方に位置し、シートバック側面にアームレストが取り付け具によって取り付けられたシートを有する車両における表示パネルの取り付け構造であって、
ブラケットが、前記アームレストを前記シートのシートバック側面に取り付ける前記取り付け具に係合して、前記シートバック側面と前記アームラストとに挟まれた状態で固定され、
前記ブラケットに固定具によって固定された表示パネル装着具に前記表パネルが装着され、
前記表示パネル装着具は、前記ブラケットに一端部が前記固定具によって固定され、前記シートのシートバックに沿って延びる支持棒体と、
該支持棒体の他端部に設けられ、前記表示パネルを支持固定する支持固定具とを有する表示パネル取り付け構造。
【発明の詳細な説明】
【技術分野】
【０００１】
本発明は、車室内で用いられるナビゲーション画像やビデオ画像を表示するための表示パネルの取り付けキット及びその取り付け構造に関する。
【背景技術】
【０００２】
従来、車両において、前部シート（座席）、例えば、運転シートの隣のシートのヘッドレストの裏面側にモニタ（表示パネル）が設けられたモニタの取り付け構造が知られている（特許文献１参照）。このようなモニタの取り付け構造によれば、前記シートの後方に位置するシートに着座した乗員は、その着座した状態で前方シートのヘッドレストに設けられたモニタに表示される映像を見ることができる。
【先行技術文献】
【特許文献】
【０００３】
【特許文献１】特開２００６−２３２１１９号公報
【発明の概要】
【発明が解決しようとする課題】
【０００４】
ところで、近年、車両追突時等における乗員の保護のためにヘッドレストに安全機構を内装することが提案されている。このように追突時等のための安全機構を内装したヘッドレストでは、その安全機構を正常に機能させるために前述したようにそのヘッドレストの裏面側に表示パネルを取り付けることができない。
【０００５】
本発明は、このような事情に鑑みてなされたもので、ヘッドレストでなくても、シートに表示パネルを取り付けることが可能となる表示パネル取り付けキット及び表示パネル取り付け構造を提供するものである。
【課題を解決するための手段】
【０００６】
本発明に係る表示パネル取り付けキットは、最後部シートより前方に位置し、シートバック側面にアームレストが取り付け具によって取り外し可能に取り付けられたシートを有する車両において表示パネルの取り付けに用いられる表示パネル取り付けキットであって、前記シートから取り外された前記アームレストを前記シートのシートバック側面に取り付ける前記取り付け具に係合して前記シートバック側面と前記アームレストとに挟まれた状態で固定されるブラケットと、該ブラケットに固定具によって固定され、前記表示パネルが装着される表示パネル装着具とを有し、前記表示パネル装着具は、前記ブラケットに一端部が前記固定具によって固定され、前記シートのシートバックに沿って延びる支持棒体と、該支持棒体の他端部に設けられ、前記表示パネルを支持固定する表示パネル支持固定具とを有する構成となる。
【０００７】
このような構成によれば、ブラケットを、最後部のシートより前方に位置するシートから取り外されたアームレストを当該シートのシートバック側面に取り付ける取り付け具に係合させてシートバック側面とアームレストとに挟まれた状態で固定し、そのブラケットに、表示パネルの装着される表示パネル装着具を固定具によって固定することにより、表示パネルの前記シートへの取り付けが可能となる。具体的には、ブラケットに一端部が固定具により固定されてシートバックに沿って延びる支持棒体の他端部に設けられた表示パネル支持固定具に表示パネルが支持固定されることにより、表示パネルの前記シートへの取り付けが可能となる。
【００１０】
また、本発明に係る表示パネル取り付けキットにおいて、前記ブラケットは、前記シートバック側面と前記アームレストとに挟まれた状態で前記アームレストの後端の輪郭に沿うように配置される複数の固定受け部を有し、前記支持棒体の前記一端部は、前記ブラケットの前記複数の固定受け部の配列に沿う形状となって、前記ブラケットの前記複数の固定受け部に前記固定具により固定される部分を有する構成とすることができる。
【００１１】
このような構成により、ブラケットに固定具により固定される支持棒体の一端部が、アームレストの後端の輪郭に沿うようになるので、アームレストとの一体感を損なうことなく、表示パネルが支持固定される表示パネル支持固定具が他端部に設けられる支持棒体をシートバックに沿って配置させることができるようになる。
【００１２】
また、本発明に係る表示パネル取り付けキットにおいて、前記支持棒体は、前記アームレストと前記シートバックとの間に形成された外方に向かって開放する隙間に嵌る楔形状の部分を有する構成とすることができる。
【００１３】
このような構成により、外方に向かって開放するように形成されたアームレストとシートバックとの間の隙間に支持棒体がより密に嵌まり込むようになるので、支持棒体をシートバックに沿ってより安定的に設けることができるようになる。
【００１４】
更に、本発明に係る表示パネル取り付けキットにおいて、前記表示パネル支持固定具は、前記支持棒体を中心にして回動可能に当該支持棒体に一端部が支持されるアーム部材と、該アーム部材の他端部に設けられ、前記表示ユニットを支持固定する支持固定部材とを有する構成とすることができる。
【００１５】
このような構成により、ブラケットに固定具によって一端部が固定されてシートバックに沿って延びる支持棒体の他端部に回動可能な状態で表示パネルを支持することができるようになる。
【００１６】
また、本発明に係る表示パネル取り付けキットにおいて、前記支持棒体を前記ブラケットに固定する固定部は、手作業によって固定可能なノブ付き固定具とすることができる。
【００１７】
このような構成により、支持棒体のブラケットへの固定及び取り外しが、特別の工具を使うことなく、手作業によって容易に行うことができる。
【００１８】
また、本発明に係る表示パネル取り付けキットにおいて、前記支持棒体には、前記表示パネルの配線を通す経路が形成されている構成とすることができる。
【００１９】
このような構成により、表示パネルの配線を支持棒体内に集中的に引き回すことができるようになる。
【００２０】
本発明に係る表示パネルの取り付け構造は、最後部シートより前方に位置し、シートバック側面にアームレストが取り付け具によって取り付けられたシートを有する車両における表示パネルの取り付け構造であって、ブラケットが、前記アームレストを前記シートのシートバック側面に取り付ける前記取り付け具に係合して、前記シートバック側面と前記アームレストとに挟まれた状態で固定され、前記ブラケットに固定具によって固定された表示パネル装着具に前記表パネルが装着され、前記表示パネル装着具は、前記ブラケットに一端部が前記固定具によって固定され、前記シートのシートバックに沿って延びる支持棒体と、該支持棒体の他端部に設けられ、前記表示パネルを支持固定する支持固定具とを有する構成となる。
【発明の効果】
【００２２】
本発明に係る表示パネル取り付けキット及び表示パネルの取り付け構造によれば、最後部のシートより前方に位置するシートから取り外されたアームレストを当該シートのシートバック側面に取り付ける取り付け具に係合させてシートバック側面とアームレストとに挟まれた状態のブラケットに、表示パネルの装着される表示パネル装着具が固定具によって固定されるので、表示パネルを、ヘッドレストでなくても、シートに取り付けることができるようになる。
【図面の簡単な説明】
【００２３】
【図１】本発明の実施の一形態に係る表示パネル取り付けキットによって表示パネルがシートに取り付けられた構造を示す斜視図である。
【図２】シートから取り外したアームレストと、該アームレストの取り付け具に係合すべきブラケットとを示す分解斜視図である。
【図３Ａ】ブラケットの構造を示す平面図である。
【図３Ｂ】ブラケットの構造を示す正面図である。
【図３Ｃ】ブラケットの構造を示す断面図である。
【図４】支持棒体の構造を示す側面図である。
【図５】支持棒体とブラケットとの接合関係を示す図である。
【図６】ブラケットに固定された支持棒体がアームレストとシートバックとの隙間に嵌め込まれた状態を示す図である。
【図７】支持棒体がブラケットに固定された状態を示す図である。
【図８】支持棒体のブラケットへの固定構造を示す断面図である。
【図９】アームレストとシートバック側面との間に固定されたブラケットに支持棒体を固定する方法を示す図である。
【図１０】シートバックに沿って固定された支持棒体の先端部に表示パネルが設けられた状態を示す図である。
【図１１】支持棒体の先端部において表示パネルを反転させた状態を示す図である。
【図１２Ａ】アーム部材の構造を示す平面図である。
【図１２Ｂ】アーム部材の構造を示す正面図である。
【図１３】支持棒体のアーム部材取り付け端部の構造を拡大して示す図である。
【図１４】前記アーム部材の支持棒体への固定構造を示す図である。
【図１５Ａ】表示パネルを支持固定する支持固定板を示す正面図である。
【図１５Ｂ】支持固定板を示す平面図である。
【図１６】支持棒体に固定されたアーム部材に表示パネルの装着された支持固定板を固定した状態を示す図である。
【図１７Ａ】支持棒体がブラケットに他の固定具（ノブボルト）によって固定された状態を示す図である。
【図１７Ｂ】ブラケットに支持棒体を固定する固定具（ノブボルト）の形状を示す図である。
【図１８】アーム部材にパネル取り付け板を連結させる構造の他の例を示す図である。
【図１９】図１８に示すアーム部材にパネル取り付け板を連結させる構造に使用される雲台を示す図である。
【図２０】シートバックに沿って固定された支持棒体の他の例を示す図である。
【図２１】図２０に示す支持棒体が分割された状態を示す図である。
【図２２】分割された部分が結合して支持棒体として構成された状態を示す図である。
【図２３】支持棒体にカバーを装着する状態を示す図である。
【図２４】支持棒体に形成された配線を通す溝を示す図である。
【発明を実施するための形態】
【００２４】
以下、本発明の実施の形態について図面を用いて説明する。
【００２５】
本発明の実施の一形態に係る表示パネル取り付けキットによって、表示パネルは、図１に示すように車両のシートに取り付けられる。
【００２６】
図１において、車室内の最前部に位置する運転者用のシート１００は、シートクッション１０１の後端縁に下端縁がヒンジ結合したシートバック１０２の一方の側面（例えば、左側面）にアームレスト１０３が後述するように取り外し可能に取り付けられるとともに、シートバック１０２の上端部にヘッドレスト１０４が設けられた構造となっている。後述するように支持棒体３０（表示パネル装着具の一部を構成）を含む表示パネル取り付けキットを用いて表示パネル１０がその表示面を後方のシート１２０に向けてシートバック１０２に取り付けられる。表示パネル１０は、例えば、車両に搭載されるＡＶ（Audio and Visual）装置、ナビゲーション装置、情報通信機器等の車載機器における各種情報表示のために用いられる。
【００２７】
図２に示すように、アームレスト１０３の後端部に孔１０３ａが形成されており、シートバック１０２の側面に設けられた係止凸部１１１がアームレスト１０３の孔１０３ａに嵌め込まれるともに、該孔１０３ａを通るボルト１１２によってアームレスト１０３と係止凸部１１１とが結合される。そして、アームレスト１０３の孔１０３ａを塞ぐように、キャップ１１３が孔１０３ａに嵌め込まれる。このように、アームレスト１０３は、ボルト１１２及びシートバック１０２に設けられた係止凸部１１１で構成される取り付け具によって取り外し可能にシートバック１０２の側面に取り付けられる。
【００２８】
表示パネル取り付けキットは、図２に示すように、シートバック１０２とアームレスト１０３との間に挟まれるように設けられるべきブラケット２０を含む。このブラケット２０は、図３Ａ〜図３Ｃに示すように構成される。
【００２９】
図３Ａ〜図３Ｃにおいて、ブラケット２０は、例えば、金属板をプレス加工することにより作られ、全体として丸みのある外形となり、特に、アームレスト１０３の後端の湾曲した輪郭（図２参照）に対応した外形部分ＥＲＯＵＮＤ（図３Ａ参照）を有する本体基板２１を有している。本体基板２１の所定部位には結合孔２２が形成されるとともに、結合孔２２の対向する２つの周辺部位に係合部２３ａ、２３ｂが形成されている。本体基板２１のアームレスト１０３の後端の湾曲した輪郭に対応した外形部分ＥＲＯＵＮＤには、本体基板２１から切り起こされて、本体基板２１の面に直交する面を有する３つの固定受け部２４ａ、２４ｂ、２４ｃが形成されている（特に、図３Ｂ、図３Ｃ参照）。各固定受け部２４ａ、２４ｂ、２４ｃの本体基板２１の面に直交する面には、孔２５ａ、２５ｂ、２５ｃが形成されている。
【００３０】
このような構造のブラケット２０は、図２に示すように、アームレスト１０３をシートバック１０２から取り外した状態で、結合孔２２をシートバック１０２の側面に設けられた係止凸部１１１に嵌めこむとともに、係合部２３ａ、２３ｂを係止凸部１１１の所定部位（図示略）に係合させることにより、係止凸部１１１に装着される。そして、前述したようにアームレスト１０３をシートバック１０２に取り付けることにより、ブラケット２０が、後述する図９に示すように、シートバック１０２の側面とアームレスト１０３とに挟まれた状態で固定される。この状態で、ブラケット２０の３つの固定受け部２４ａ、２４ｂ、２４ｃが、アームレスト１０３の後端の湾曲した輪郭に沿うように配列されて、アームレスト１０３とシートバック１０２の側面との間の隙間から露出する。
【００３１】
表示パネル取り付けキットの他の構成部材である支持棒体３０は、図４に示すように構成される。
【００３２】
図４において、支持棒体３０は、ストレートに延びる直状部３１と、直状部３１に続き、湾曲した形状となる湾曲部３２とを有している。湾曲部３２は、図５に示すように、前述したブラケット２０の本体基板２１に形成された３つの固定受け部２４ａ、２４ｂ、２４ｃの配列に沿う形状となっている。そして、湾曲部３２には、ブラケット２０の３つの固定受け部２４ａ、２４ｂ、２４ｃに対応して３つの凹部３２１ａ、３２１ｂ、３２１ｃが形成され、また、凹部３２１ａ、３２１ｂ、３２１ｃから更に、湾曲部３２を貫通する孔３２２ａ、３２２ｂ、３２２ｃが形成されている。これら孔３２２ａ、３２２ｂ、３２２ｃは、湾曲部３２において、ブラケット２０の３つの固定受け部２４ａ、２４ｂ、２４ｃと同じ角度間隔にて放射状に配列されている。これにより、支持棒体３０の湾曲部３２に形成された３つの凹部３２１ａ、３２１ｂ、３２１ｃに続く孔３２２ａ、３２２ｂ、３２２ｃのそれぞれと、ブラケット２０の対応する固定受け部２４ａ、２４ｂ、２４ｃに形成された孔２５ａ、２５ｂ、２５ｃ（図３Ｂ、図３Ｃ参照）とが対向し得るようになる。
【００３３】
直状部３１の湾曲部３２に続く側と逆側の端部が、丸棒状となって、後述するように表示パネル取り付けキットの他の構成部材であるアーム部材４０（後述する図１０、図１２Ａ、図１２Ｂ参照）の取付け部３６として形成されている。また、図４とともに図６に示すように、支持棒体３０の直状部３１における取付け部３６から湾曲部３２に至る部分及び湾曲部３２は、対向する２つの傾斜面３４、３５と、２つの傾斜面３４、３５の間隔の狭い側の両端部につながる平坦面３７と、２つの傾斜面３４、３５の間隔の広い側の両端につながるラウンド面３３とによって形成されている。これにより、支持棒体３０における丸棒状の取付け部３６を除く部分の横断面形状は、図６に示すように、２つの傾斜面３４、３５による楔形状となり、特に、支持棒体３０のアームレスト１０３とシートバック１０２の側面に当接する部分は、その楔形状により、アームレスト１０３の後端角部とシートバック１０２の後端角部との間に形成される外方に向かって開放する隙間Ｇに密に嵌まり込み得る。
【００３４】
前述した構造の支持棒体３０は、図６とともに図７〜図９に示すようにして、アームレスト１０３とシートバック１０２の側面との間に挟まれるように固定されたブラケット２０に固定される。即ち、支持棒体３０の湾曲部３２に形成された３つの孔３２２ａ、３２２ｂ、３２２ｃがブラケット２０の固定受け部２４ａ、２４ｂ、２４ｃに対向する状態に維持されつつ、支持棒体３０がアームレスト１０３とシートバック１０２の側面との間の隙間Ｇに嵌まり込むように配置される。この状態で、図８に示すように、支持棒体３０の湾曲部３２に形成された３つの凹部３２１ａ、３２１ｂ、３２１ｃから挿入される/ボルト２７ａ、２７ｂ、２７ｂ（固定具）が孔３２２ａ、３２２ｂ、３２２ｃを通して平坦面３７から突出し、ブラケット２０の固定受け部２４ａ、２４ｂ、２４ｃに形成された孔２５ａ、２５ｂ、２５ｃにねじ込まれる。これにより、支持棒体３０の湾曲部３２（一端部）がブラケット２０の３つの固定受け部２４ａ、２４ｂ、２４ｃにボルト２７ａ、２７ｂ、２７ｃ（固定具）によって固定される。なお、各凹部３２１ａ、３２１ｂ、３２１ｂは、ねじ込んだボルト２７ａ、２７ｂ、２７ｃを隠すようにキャップ２８ａ、２８ｂ、２８ｃによって塞がれる（図７参照）。
【００３５】
前述したようにアームレスト１０３とシートバック１０２の側面との間に挟まれたブラケット２０に固定された支持棒体３０は、図１０及び図１１に示すように、シートバック１０２の側面に沿って配置されるようになる。そして、支持棒体３０の先端部に、表示パネル取り付けキットの他の構成部材であって支持棒体３０とともに表示パネル装着具を構成する表示パネル支持固定具としてのアーム部材４０及びパネル取り付け板５０によって表示パネル１０が取り付けられる。
【００３６】
アーム部材４０は、図１２Ａ及び図１２Ｂに示すように構成される。図１２Ａ及び図１２Ｂにおいて、アーム部材４０は、第１ジョイント部４１と第２ジョイント部４２とが湾曲した板形状となるアーム部４３によって結合された構造となっている。第１ジョイント部４１は、円筒キャップ形状となり、内部に円柱状の空間４１０が形成されている。第１ジョイント部４１の上端面の中心にはネジ孔４１１が形成され、第１ジョイント部４１の側壁面には、等間隔に配置される４つのネジ孔４１２ａ、４１２ｂ、４１２ｃ、４１２ｄが形成されている。また、第２ジョイント部４２は、第１ジョイント部４１と同様に、円筒キャップ状となり、内部に円柱状の空間４２０が形成されている。第２取付け部４２の上端面の中心には孔４２１が形成されている。
【００３７】
前述した支持棒体３０の端部に形成された丸棒状の取付け部３６は、前述したアーム部材４０を取り付ける部分であって、図１３に拡大して示すように、先端から所定距離の位置に取付け部３６の全周にわたって溝３６１が形成されている。そして、図１４に拡大して示すように、支持棒体３０の取付け部３６が第１ジョイント部４１（空間４１０）内に挿入され、第１ジョイント部４１が支持棒体３０の取付け部３６に遊嵌した状態なる。この状態で、第１ジョイント部４１の周壁面に形成された４つのネジ孔４１２ａ、４１２ｃ、（４１２ｂ、４１２ｄ）に、ネジ４５ａ、４５ｃ（図１４には２つのネジ４５ａ、４５ｃだけしか表れていないが、ネジ孔４１２ｂ、４１２ｄに対応したネジも存在する）がねじ込まれて、各ネジ４５ａ、４５ｃの先端部分が支持棒体３０の取付け部３６に形成された溝３６１内に至っている。これにより、アーム部材４０の第１ジョイント部４１は、各ネジ４５ａ、４５ｃが溝３６１に引っかかって、支持棒体３０の取付け部３６から抜けることなく、各ネジ４５ａ、４５ｃが溝３６１内を摺動して支持棒体３０を中心にして回動可能になる。
【００３８】
また、第１ジョイント部４１の上端面に形成されたネジ孔４１１に調整ネジ４４がねじ込まれている。この調整ネジ４４のねじ込み量を調整することにより、第１ジョイント部４１の回動のし易さが調整される。この調整ネジ４４の所定量のネジ込みにより、支持棒体３０に形成された溝３６１の内壁が各ネジ４５ａ、４５ｃに押し付けられて、第１ジョイント部４１が支持棒体３０に固定されるようになる。
【００３９】
上述したアーム部材４０とともに表示パネル支持固定具を構成するパネル取り付け板５０（支持固定部材）は、図１５Ａ及び図１５Ｂに示すように、本体プレート５１の側端部がカールされて、当該本体プレート５１の側端部に内部が中空ＳＰとなるカール部５３が形成された構造となっている。そして、ボルト５５がカール部５３内に固定され、そのボルト５５の先端部がカール部５３から突出している。また、本体プレート５１には、孔５２ａ、５２ｂ、５２ｃ、５２ｄが形成されており、この孔５２ａ、５２ｂ、５２ｃ、５２ｄを通るネジ等によって本体プレート５１に表示パネル１０が固定される。
【００４０】
前述したように第１ジョイント部４１が支持棒体３０の取付け部３６に回動可能に結合したアーム部材４０の第２ジョイント部４２に、図１６に示すように、パネル取り付け板５０（図１５Ａ、図１５Ｂ参照）が固定される。即ち、パネル取り付け板５０のカール部５３から突出するボルト５５が第２ジョイント部４２の上端面に形成された孔４２１から差し込まれ、第２ジョイント部４２内にてボルト５５にナット５６を締め込むことによってパネル取り付け板５０が第２ジョイント部４２に固定される。このようにして、図１０に示すように、支持棒体３０の先端部に、アーム部材４０及びパネル取り付け板５０を用いて表示パネル１０が取り付けられる。そして、第１ジョイント部４１の調整ネジ４４を緩めた状態で、支持棒体３０の先端部（取付け部３６）を中心にアーム部材４０を回動させることにより、図１１に示すように、表示パネル１０の向きを変えるとともに、シートバック１０２から側方に突出した表示パネル１０（図１０参照）を、シートバック１０２の背後に移動させることができる。
【００４１】
前述したように、ブラケット２０、支持棒体３０、アーム部材４０及びパネル取り付け板５０を含む表示パネル取り付けキットによれば、ブラケット２０を、シート１００（シートバック１０２）から取り外されたアームレスト１０３をシートバック１０２の側面に取り付けるための係止凸部１１１に係合させてシートバック１０２の側面とアームレスト１０３とに挟まれた状態で固定し、そのブラケット２０に３つのボルト２７ａ、２７ｂ、２７ｃによって支持棒体３０を固定し、更に、表示パネル１０の取り付けられたパネル取り付け板５０が固定されたアーム部材４０を前記支持棒体３０に固定することにより、表示パネル１０のシート１００への取り付けが可能となる。これにより、表示パネル１０を、ヘッドレスト１０４でなくても、シート１００に取り付けることができるようになる。
【００４２】
また、ブラケット２０に形成される３つの固定受け部２４ａ、２４ｂ、２４ｃが、アームレスト１０３の後端の輪郭に沿うように配列されるとともに、支持棒体３０の湾曲部３２がその固定受け部２４ａ、２４ｂ、２４ｃの配列に沿った形状となっているので（図７、図９参照）、アームレスト１０３との一体感を損なうことなく、表示パネル１０の取付けに用いられる支持棒体３０をシートバック１０２に沿って配置させることができるようになる。
【００４３】
更に、支持棒体３０の断面形状が２つの傾斜面３４、３５による楔形状になっているので（図６参照）、アームレスト１０３の後端角部とシートバック１０２の後端角部との間に形成される外方に向かって開放する隙間Ｇにより密に嵌まり込むようになり、支持棒体３０をシートバック１０２に沿ってより安定的に設けることができるようになる。
【００４４】
なお、支持棒体３０内、例えば、直状部３１内に、溝や仕切り空間等によって表示パネル１０の配線を通す経路を形成することができる。この場合、表示パネル１０の配線を支持棒体３０内に集中的に引き回すことができるようになる。
【００４５】
前述した表示パネル１０の取付け構造では、支持棒体３０は、３つの通常のボルト２７ａ、２７ｂ、２７ｃによってブラケット２０に固定される構造であったが、図１７Ａ及び図１７Ｂに示すように、人が握ることのできるノブを有し、手作業によって固定可能な３つのノブボルト２９ａ、２９ｂ、２９ｃ（ノブ付き固定具）によって支持棒体３０をブラケット２０に固定することもできる。この場合、支持棒体３０の湾曲部３２には、図５及び図７に示すような３つの凹部３２１ａ、３２１ｂ、３２１ｃは形成されることなく、孔３２２ａ、３２２ｂ、３２２ｂがそのまま貫通するように形成される。そして、３つのノブボルト２９ａ、２９ｂ、２９ｃを孔３２２ａ、３２２ｂ、３２２ｃに通して、手作業によってノブを回わすことにより、ノブ付きボルト２９ａ、２９ｂ、２９ｃがブラケット２０の固定受け部２４ａ、２４ｂ、２４ｃにねじ込まれる。これにより、支持棒体３０の湾曲部３２がブラケット２０の３つの固定受け部２４ａ、２４ｂ、２４ｃに固定される。
【００４６】
このように、支持棒体３０のブラケット２０への固定に、ノブを有するノブボルト２９ａ、２９ｂ、２９ｃ（ノブ付き固定具）を使用することにより、ドライバやスパナ等の工具を用いることなく、手作業で各ノブボルト２９ａ、２９ｂ、２９ｃのノブを握って回すことにより支持棒体３０をブラケット２０に容易に固定することができ（表示パネル取り付けキットの組み立て）、また、支持棒体３０をブラケット２０から容易に取り外すこともできる（表示パネル取り付けキットの分解）。
【００４７】
なお、ブラケット２０の各固定受け部２４ａ、２４ｂ、２４ｃにボルトを固定しておき、支持棒体３０をブラケット２０に固定するために、ナット、特に、ノブを有するノブナット（ノブ付き固定具）を用いることもできる。
【００４８】
また、前述した表示パネル１０の取付け構造では、アーム部材４０の第２ジョイント部４２においてパネル取り付け板５０から延びるボルト５５にナット５６を締め込むことにより、パネル取り付け板５０が第２ジョイント部４２に固定されているが、図１８及び図１９に示すような雲台５７を用いて、表示パネル１０が固定されるパネル取り付け板５０をアーム部材４０の第２ジョイント部４２に固定することもできる。この場合、雲台５７は、図１９に拡大して示すように、割辺５７１、５７２に挟まれた球体部５７３の先端にボルト部５７４が形成され、割辺５７１、５７２が摘みと一体となったネジ５７５によって締め付けられる構造となっている。このような雲台５７では、ネジ５７５による割辺５７１、５７２の締め付けが緩められると、球体部５７３が割辺５７１、５７２に挟まれた状態で自由に回動することができるようになり、ネジ５７５によって割辺５７１、５７２が締め付けられると、球体部５７３が割辺５７１、５７２によって強く挟まれて、球体部５７３の姿勢に固定することができる。
【００４９】
雲台５７の球体部５７３に形成されたボルト部５７４がパネル取り付け板５０のカール部５３（図示されていないが、雌ネジが形成されている）がねじ込まれることにより、パネル取り付け板５０が雲台５７に連結される。また、雲台５７には、球体部５７３の逆側に突出するようにボルト部５７６が形成されている。そして、雲台５７のボルト部５７６がアーム部材４０における第２ジョイント部４２の上端面に形成された孔４２１から差し込まれ、第２ジョイント部４２内にてボルト部５７５にナット５６を締め込むことによって雲台５７が第２ジョイント部４１に固定される。
【００５０】
このように、雲台５７を用いて、表示パネル１０が固定されるパネル取り付け板５０をアーム部材４０の第２ジョイント部４２に固定することにより、パネル取り付け板５０に固定される表示パネル１０の姿勢（方向、傾斜角度）を自由に調整することができるようになる。従って、表示パネル１０が取り付けられるシート１００のシートバック１０２の傾斜角度が種々変更されたとしても、表示パネル１０を利用者に適した姿勢に維持させることができるようになる。
【００５１】
図６に示すような２つの傾斜面３４、３５を有する支持棒体３０に代えて、図２０に示すような丸棒状の支持棒体６０を用いることができる。この場合、更に、支持棒体６０を、表示パネル１０が取り付けられる側の第１部分６１と、アームレスト１０３とシートバック１０２との間に挟まれるブラケット２０（図２０において図示略）に固定される側の第２部分６２とに分割された構造とすることができる。例えば、図２１に示すように、第１部分６１の端部にネジ部６１ａが形成され、第２部分６２の端部にネジ穴６２ａが形成される。ネジ部６１ａをネジ穴６２ａにねじ込むことにより、図２２に示すように第１部分６１と第２部分６２とが一体となって支持棒体６０全体が構成される。このように比較的長い支持棒体６０が第１部分６１と第２部分６２の２つの部分に分割されるので、表示パネル取り付けキットの構成部材を小型化することができ、全体としての小型化を図ることができる。
【００５２】
また、第１部分６１と第２部分６２とで構成される支持棒体６０全体を、図２３に示すように、筒状のカバー６５で覆うことができる。更に、図２４に示すように丸棒状の支持棒体６０に溝６３を形成することにより、その溝６３を表示パネル１０の配線Ｗを通す経路として利用することができる。
【００５３】
なお、ブラケット２０、支持棒体３０、アーム部材４０及びパネル取り付け板５０を含む表示パネル取り付けキットを用いて表示パネル１０が取付けられるシート１００は、運転者用のシートに限定されず、最後部のシートより前方に位置しているものであればよい。これにより、当該シートに取り付けられた表示パネルに表示される映像を後方のシートに着座した乗員が見ることができる。
【００５４】
前述した実施の形態では、支持棒体３０、アーム部材４０及びパネル支持固定板５０によってブラケット２０に固定される表示パネル装着具が構成されたが、この表示パネル装着具は、表示パネル１０が装着された状態でブラケット２０に固定し得る構造のものであれば、特に限定されない。支持棒体３０の他端部に設けられる表示パネル支持固定具が、アーム部材４０及びパネル支持固定板５０で構成されたが、この表示パネル支持固定具の構造は、表示パネル１０を支持固定した状態で支持棒体３０の他端部に設けられるものであれば、特に限定されない。
【産業上の利用可能性】
【００５５】
本発明に係る表示パネル取り付けキット及び表示パネル取り付け構造は、ヘッドレストでなくても、シートに表示パネルを取り付けることができるという効果を有し、車室内に設けられた座席にナビゲーション画像やビデオ画像を表示するための表示パネルの取り付けキット及びその取り付け構造として有用である。
【符号の説明】
【００５６】
１０  表示パネル
２０  ブラケット
２１  本体基板
２２  結合孔
２３ａ、２３ｂ  係合部
２４ａ、２４ｂ、２４ｃ  固定受け部
２５ａ、２５ｂ、２５ｃ  孔
２７ａ、２７ｂ、２７ｃ  ボルト
２８ａ、２８ｂ、２８ｃ  キャップ
３０  支持棒体
３１  直状部
３２  湾曲部
３２１ａ、３２１ｂ、３２１ｃ  凹部
３２２ａ、３２２ｂ、３２２ｃ  孔
３３  ラウンド部
３４、３５  傾斜面
３６  取付け部
３６１  溝
３７  平坦面
４０  アーム部材
４１  第１ジョイント部
４１０  空間
４１１、４１２ａ、４１２ｂ、４１２ｃ、４１２ｄ  ネジ孔
４２  第２ジョイント部
４２０  空間
４２１  孔
４３  アーム部
４４  調整ネジ
４５ａ、４５ｂ、４５ｃ、４５ｄ  ネジ
５０  パネル取り付け板
５１  本体プレート
５２ａ、５２ｂ、５２ｃ、５２ｄ  孔
５３  カール部
５５  ボルト
６０  支持棒体
６１  第１部分
６２  第２部分
６３  溝
６５  カバー
１００  シート
１０１  シートクッション
１０２  シートバック
１０３  アームレスト
１０４  ヘッドレスト
１１１  係止凸部
１１２  ボルト
１１３  キャップ
１２０  シート
【図１】
0005858738.tif 000002
【図２】
0005858738.tif 000003
【図３Ａ】
0005858738.tif 000004
【図３Ｂ】
0005858738.tif 000005
【図３Ｃ】
0005858738.tif 000006
【図４】
0005858738.tif 000007
【図５】
0005858738.tif 000008
【図６】
0005858738.tif 000009
【図７】
0005858738.tif 000010
【図８】
0005858738.tif 000011
【図９】
0005858738.tif 000012
【図１０】
0005858738.tif 000013
【図１１】
0005858738.tif 000014
【図１２Ａ】
0005858738.tif 000015
【図１２Ｂ】
0005858738.tif 000016
【図１３】
0005858738.tif 000017
【図１４】
0005858738.tif 000018
【図１５Ａ】
0005858738.tif 000019
【図１５Ｂ】
0005858738.tif 000020
【図１６】
0005858738.tif 000021
【図１７Ａ】
0005858738.tif 000022
【図１７Ｂ】
0005858738.tif 000023
【図１８】
0005858738.tif 000024
【図１９】
0005858738.tif 000025
【図２０】
0005858738.tif 000026
【図２１】
0005858738.tif 000027
【図２２】
0005858738.tif 000028
【図２３】
0005858738.tif 000029
【図２４】
0005858738.tif 000030